(57)【要約】【課題】病的肥満を含む肥満治療のための、低コストで、かつ非侵襲的な介入方法の提供。【解決手段】外側表面及び内側表面、並びに近位端及び遠位端を有する管状構造部を有してなる抗肥満ステント。この管状構造部は、十二指腸内で、実質的に同軸の位置関係で、それと嵌合するサイズに設計されている。この管状構造部は、十二指腸内に存在する消化物質及びキームスに対して非透過性若しくは半透過性である。上記抗肥満ステントは輸送構造部を有してなり、その少なくとも一部は、上記外側表面と一致するか若しくは連結している。上記輸送構造部は、上記管状構造部の末端まで伸びている。上記管状構造部には、少なくとも１つのリテーナ構造が連結している。上記リテーナ構造は十二指腸内で管状構造部を固定し、それにより、上記輸送構造部は、十二指腸の内側表面上に存在するファーター乳頭からの消化液を受容できる構造をとることができる。上記輸送構造部は、消化液をその内部に導き、遠位端に流送させるための導管を構成する。【選択図】図１
2009538690.tif 000002
【特許請求の範囲】
【請求項１】
外側表面及び内側表面、並びに近位端及び遠位端を有する管状構造部であって、
腸内で、それと実質的に同軸の位置関係で嵌合するサイズを有し、腸内の消化物質及びキームスに対して非透過性若しくは半透過性である前記管状構造部と、
少なくともその一部が前記外側表面と一致若しくは連結しており、前記遠位端まで伸びている輸送構造部と、
前記管状構造部に連結し、腸内で前記管状構造部を固定し、それにより前記輸送構造部が、腸の内側表面からの消化液を受容できるように配置される、少なくとも１つのリテーナ構造とを有してなり、
前記輸送構造部が、消化液を導入して前記遠位端に流送するための導管として機能する、ステント。
【請求項２】
前記腸が、十二指腸及びその内側表面上のファーター乳頭を有してなり、前記管状構造部が、十二指腸内で前記リテーナ構造を固定し、それにより前記輸送構造部が、前記ファーター乳頭からの消化液を受容できるように配置される、請求項１記載のステント。
【請求項３】
前記輸送構造部が、前記外側表面に形成される溝を有してなる、請求項１記載のステント。
【請求項４】
前記溝が円周溝を有してなり、前記溝が前記円周溝と連結した軸方向溝を有してなり、前記軸方向溝が、前記円周溝と遠位端との間に伸びている、請求項３記載のステント。
【請求項５】
前記溝が円周溝を有してなり、前記輸送構造部が、前記管状構造部と連結したメッシュ構造を有してなり、前記メッシュ構造が前記円周溝の少なくとも一部を覆い、それにより、十二指腸の内側表面と前記円周溝の少なくとも一部との間において、横方向若しくは放射状の隙間が形成される、請求項３記載のステント。
【請求項６】
前記腸が、十二指腸及びその内側表面上のファーター乳頭を有してなり、
前記管状構造部が近位部分及び遠位部分を有し、
前記近位部分が、前記遠位部分の外径より大きい外径を有し、
前記リテーナ構造が、十二指腸内で前記管状構造部を固定し、
前記管状構造部を配置したとき、前記近位部分が、ファーター乳頭に対して近位側に位置する軸方向部分を有し、
前記輸送構造部が、管状で、前記遠位部分の前記外径より大きい直径を有するメッシュ構造を有してなり、
前記メッシュ構造が、前記遠位部分と同軸の位置関係で前記近位部分に連結し、
前記メッシュ構造が、前記近位部分と遠位端との間に伸びており、それにより前記メッシュ構造が、十二指腸の内側表面と前記遠位部分との間に、横方向若しくは放射状の隙間を形成する、請求項１記載のステント。
【請求項７】
前記輸送構造部が、前記管状構造部の前記内側表面に連結するブリード管を有してなり、それにより前記輸送構造部に存在する消化液が、前記ブリード管を通じて、前記遠位端に流送される、請求項１記載のステント。
【請求項８】
前記輸送構造部が、前記管状構造部と一体である導管を有してなり、前記導管が、前記管状構造部の前記外側表面と前記内側表面の間に存在し、前記輸送構造部に存在する前記消化液が、前記導管を通じて、前記遠位端に流送される、請求項１記載のステント。
【請求項９】
前記輸送構造部が、前記管状構造部の前記外側表面に連結する芯材を有してなり、前記芯材が腸の内側表面と直接接触し、それによりそこから分泌される消化液が、前記芯材により吸収され、前記芯材を通じて、前記遠位端に流送される、請求項１記載のステント。
【請求項１０】
前記芯材がメッシュ又はスポンジ構造を有してなる、請求項９記載のステント。
【請求項１１】
前記芯材が前記管状構造部の少なくとも一部を覆う、請求項９記載のステント。
【請求項１２】
前記溝が長手方向に螺旋状に存在し、前記管状構造部に対してオフセットの位置関係にある、請求項３記載のステント。
【請求項１３】
前記溝が軸方向の溝を複数有してなる、請求項３記載のステント。
【請求項１４】
前記腸が、十二指腸及びその内側表面上のファーター乳頭を有してなり、
前記ステントが、前記外側表面に連結し、前記輸送構造部と通じる側管を有してなり、
前記側管が、ファーター乳頭から挿入可能であり、
内部の消化液が、前記側管を通じて前記輸送構造部に輸送され、
前記側管がファーター乳頭に挿入されたとき、前記管状構造部が十二指腸に対して軸方向及び円周方向に移動する際に、前記側管により抵抗力が生じる、請求項１記載のステント。
【請求項１５】
外側表面及び内側表面、並びに近位端及び遠位端を有する管状構造部を含んでなるステントであって、
前記管状構造部が、十二指腸内で、それと実質的に同軸の位置関係で嵌合するサイズで設定されており、
前記外側表面が、前記管状構造部を十二指腸内に配置したときに、前記管状構造部の前記外側表面が十二指腸の内側表面と係合して、前記管状構造部の前記外側表面と十二指腸の内側表面との間の、横方向若しくは放射状の隙間の形成が制限されるのに十分なサイズの直径を有し、
前記管状構造部が、十二指腸内の消化物質及びキームスに対して非透過性若しくは半透過性であり、
少なくとも１つのリテーナ構造が、前記管状構造部の前記外側表面と連結し、
前記リテーナ構造が、十二指腸内で前記管状構造部を固定し、それにより前記近位端が、ファーター乳頭の遠位側に隣接する、前記ステント。
【請求項１６】
前記リテーナ構造が、管状で、前記外側表面に連結する内側表面を有する近位アンカーを含んでなり、
前記近位アンカーが前記近位端と隣接し、前記リテーナ構造が管状で、前記外側表面に連結する内側表面を有する遠位アンカーを更に含んでなり、
前記遠位アンカーが前記遠位端と隣接し、
前記近位アンカー及び遠位アンカーが、横方向若しくは放射状に拡張可能であり、前記管状構造部を配置したとき、前記近位端及び遠位アンカーの対応する外側表面が腸の内側表面と係合し、前記近位アンカー及び遠位アンカーの前記外側表面と、腸の内側表面との間における、実質的に横方向若しくは放射状の隙間の形成が防止されるのに十分なサイズを有し、
腸の内側表面において分泌された前記消化液が、前記管状構造部と腸の内側表面との間に含まれ、
前記管状構造部の前記遠位アンカー又は遠位部分が、前記管状構造部と腸の内側表面との間に含まれる消化液に対して浸透性である、請求項１記載のステント。
【請求項１７】
前記腸が、十二指腸及びその内側表面上のファーター乳頭を有してなり、
ファーター乳頭が前記近位アンカーと遠位アンカーの間に軸方向に配置される態様で、前記管状構造部が十二指腸内で配置され、
ファーター乳頭に対する、近位アンカー及び遠位アンカーの軸方向への配置により、消化液がファーター乳頭を通じて十二指腸に流れ込み、前記管状構造部と十二指腸の内側表面との間に含まれる、請求項１６記載のステント。
【請求項１８】
前記リテーナ構造において、前記管状構造部の前記外側表面の直径が、前記輸送構造部を配置したときに、腸の内側表面を押圧して、腸の内側表面からの消化液を受容するのに十分なサイズであり、
前記リテーナ構造が、前記管状構造部の前記外側表面に形成された円周溝を含んでなり、
腸の内側表面が前記円周溝に至り、それにより、腸に対する前記管状構造部の軸方向の移動に対する抵抗力が生じる、請求項１記載のステント。
【請求項１９】
前記リテーナ構造が、軸方向に配置され、前記近位端を有する前記管状構造部の近位部分を有してなり、
前記近位部分が、前記輸送構造部に対して軸方向に沿って近位側に位置し、
前記近位部分が、前記輸送構造部から軸方向に充分な距離で分離され、前記輸送構造部が配置されたとき、前記近位部分が幽門を通って延びて腸に至り、腸の内側表面からの消化液を受容し、
前記近位部分が、幽門の内側表面を押圧するのに十分な外径を有し、
前記リテーナ構造が、幽門を通って延びる前記近位部分の外側表面に形成される円周溝を有し、
前記円周溝が、前記近位部分に対して軸方向に位置し、幽門の内側表面が前記円周溝に至り、腸に対して前記管状構造部が軸方向に移動しようとする際に抵抗力を生じさせる、請求項１記載のステント。
【請求項２０】
前記リテーナ構造が、軸方向に配置され、前記近位端を有する、前記管状構造部の近位部分を有してなり、
前記近位部分が、前記輸送構造部に対して軸方向に沿って近位側に位置し、
前記近位部分が、前記輸送構造部から軸方向に充分な距離で分離され、前記輸送構造部を配置したときに前記近位部分が幽門を通って延び、腸に至り、腸の内側表面からの消化液を受容し、
前記近位部分が外側に拡張し、腸に対して末端部方向に前記管状構造部が軸方向に沿って移動しようとする際、抵抗力が生じる、請求項１記載のステント。
【請求項２１】
患者の体重減少方法であって、ステントの管状構造部を腸に、それと実質的に同軸の位置関係となるように挿入するステップであって、前記管状構造部が、外側表面及び内側表面、並びに近位端及び遠位端を有し、前記ステントが、輸送構造部を有し、その少なくとも一部が前記外側表面と一致するか若しくは連結され、前記輸送構造部が、遠位端まで伸び、前記ステントが、外側表面に連結する少なくとも１つのリテーナ構造を有するステップと、
腸に対して軸方向に、前記管状構造部を配置して、腸の内側表面からの消化液を受容する態様で前記輸送構造部を配置するステップであって、前記配置が更に、前記遠位端が、輸送構造部により消化液が受容される部分より遠位側に配置されるステップと、
前記リテーナ構造を腸の内側表面に係合し、その位置に前記輸送構造部を固定し、腸の内側表面からの消化液を受容させるステップを含んでなる方法。
【請求項２２】
前記腸が、十二指腸及びその内側表面上のファーター乳頭を有してなり、
前記輸送構造部が、外側表面に形成された溝を有し、
前記配置が、十二指腸内のファーター乳頭と整合する態様で溝を配置することを含んでなり、
前記係合が、リテーナ構造を十二指腸の内側表面に係合させ、前記溝のセクションを、前記ファーター乳頭の円周方向及び軸方向の位置と実質的に同じとなる態様で、円周方向及び軸方向に対して固定するステップを含んでなる、請求項２１記載の方法。
【請求項２３】
前記腸が、十二指腸及びその内側表面上のファーター乳頭を有してなり、
輸送構造部が、その外側表面に形成された円周溝を有し、
前記配置が、前記円周溝を、管状構造部が前記リテーナ構造により十二指腸内で固定されるときに、その軸方向の位置がファーター乳頭の軸方向の位置と実質的に同じとなる態様で配置することを含んでなり、前記係合が、前記リテーナ構造を十二指腸の内側表面に係合させ、前記円周溝をファーター乳頭と整合させるステップを含んでなる、請求項２１記載の方法。
【発明の詳細な説明】
【技術分野】
【０００１】
（関連出願）この国際出願は、２００６年５月３０日に出願の米国特許出願第１１／４４３５３７号の優先権を主張し、その開示内容を本願明細書に援用する。
【０００２】
（技術分野）本発明は広義には、抗肥満ステント及びその使用方法に関する。より詳細には、胃に隣接する十二指腸に固定され、食品の消化及び吸収を減少させる、抗肥満ステントに関する。
【背景技術】
【０００３】
肥満及びそれに関連する健康障害の発生は、重要な問題である。肥満の原因としては、遺伝子的、環境的、精神的、内分泌的、代謝的、文化的及び社会経済的な要因などが挙げられ、それらが複雑に相互作用すると考えられる。高度の肥満はしばしば、冠状動脈疾患、高血圧、ＩＩ型真性糖尿病、胆石、非アルコール性脂肪肝炎、肺高血圧症及び睡眠無呼吸などとの合併症をもたらすため、好ましくない。肥満は防止できるにもかかわらず、米国における主要な死因である。肥満と関連する合併症のスペクトラムとしては、癌、変形性関節症及び心疾患などが挙げられる。肥満による経済的コストは決して少なくはない。
【０００４】
現在行われている肥満治療方法としては、食事療法、運動療法、行動療法及び薬物療法や、様々な手術などが挙げられ、それぞれ様々な危険性を有し、また様々な効果を発揮する。一般に、非外科的治療は非侵襲的ではあるが、大部分の患者において、その減量効果は比較的短期間しか見られず、かつ限られた程度に留まる。非外科的治療は、例えばボディーマスインデックス（ＢＭＩ）が３０超である患者に適用した場合には、あまり効果的でなかったことが知られている。外科的治療としては、例えばステープルで留めることや、「胃バンディング」を行うことなどの、胃が大量の食物を収容する能力を抑止するための胃形成術が挙げられる。他の外科的手技としては、胃バイパスや、萎んだ状態で胃に挿入でき、更に生理食塩水を充填させることにより膨張させることのできる胃「バルーン」などが挙げられる。
【０００５】
外科的介入は、ＢＭＩが４０超（病的な肥満と考えられる）である患者に対して実施するのが好ましい。外科的介入としては、胃拘束手術を行い、胃嚢のサイズを減少させて摂食を制限することが挙げられる。その他の外科的介入としては、小腸を再編成して吸収不全を生じさせる方法が挙げられる。それにより、腸として機能する部分の長さの短縮化、栄養分の吸収効率の低下、又はそれらの組合せなどの効果が得られる。１つの方法としては、胃バイパス（ＧＰＢ又はルーワイ吻合術）が挙げられる。この方法は大部分の患者において効果的であり、５年後において約７０％の過剰体重減少の維持、１０年後において５０％の過剰体重減少の維持がなされる。かかるいずれの方法も、おそらく腹腔鏡下で実施されるが、それにより合併症を生じさせることもある。また、ＧＰＢは通常、不可逆的な方法である。ゆえに、他の治療方法が現在開発されている。なお、過剰体重の減少とは、理想体重より大きい体重を減少させることである。
【発明の開示】
【発明が解決しようとする課題】
【０００６】
病的肥満を含む肥満治療のための、低コストで、かつ非侵襲的な介入方法に対するニーズが存在する。
【課題を解決するための手段】
【０００７】
本発明は、外側表面及び内側表面、並びに近位端及び遠位端を有する管状構造部を有してなる抗肥満ステントの提供に関する。この管状構造部は、十二指腸内で、実質的に同軸の位置関係で、それと嵌合するサイズに設計されている。この管状構造部は、十二指腸内に存在する消化物質及びキームスに対して非透過性若しくは半透過性である。キームスとは、胃から十二指腸に流通する、部分的に消化された食品のことを指す。上記抗肥満ステントは輸送構造部を有してなり、その少なくとも一部は、上記外側表面と一致するか若しくは連結している。上記輸送構造部は、上記管状構造部の末端まで伸びている。上記管状構造部には、少なくとも１つのリテーナ構造が連結している。上記リテーナ構造は十二指腸内で管状構造部を固定し、それにより、上記輸送構造部は、十二指腸の内側表面上に存在するファーター乳頭からの消化液を受容できる構造をとることができる。上記輸送構造部は、消化液をその内部に導き、遠位端に流送させるための導管を構成する。
【発明の効果】
【０００８】
上記の抗肥満ステントを、十二指腸内で適当な位置に設置することにより、十二指腸内で、キームスと消化物質とが混合するのを減少させ若しくは防止することが可能となる。十二指腸内の消化物質としては、消化液（例えば胆液や膵液など）が挙げられ、それらは、十二指腸の内側表面に通じているファーター乳頭を通って十二指腸の内部に到達する。上記の消化液は、胆汁管及び膵管を通ってファーター乳頭に供給される。上記の抗肥満ステントは、ファーター乳頭から流出する消化液の、管状構造部内への浸透を減少させ若しくは防止することによって、キームスと消化液との混合を低減させ若しくは防止する。したがって、抗肥満ステントによって占められる十二指腸の領域では、キームスと消化液との混合が低減されるか、又は防止される。これにより、消化液によるキームスの曝露時間が減少し、その結果、化学的な分解が低減する。これは、上記の管状構造がキームスに対して半透過性若しくは非透過性であることによる結果である。抗肥満ステントによりなされる、キームスと消化液との混合の低減化により、患者における食物摂取量が減少する。また、抗肥満ステントの長手方向にわたり、胆汁とキームスとの接触が分断されるため、かかる混合の低減化により、脂肪分の分解も低減化される。したがって、十二指腸による、キームス中に含有される栄養分、脂肪分及び他の物質の吸収において通常必要とされる、消化液によるキームスの化学的な分解が低減化する。
【０００９】
上記の抗肥満ステントは、十二指腸を含む小腸による、脂肪分の吸収を、以下の機構により低減化する：
（ｉ）上記抗肥満ステントが、ステントの長手方向にわたり、キームスを、ファーター乳頭により分泌される胆汁から分断し、
（ｉｉ）上記抗肥満ステントが、キームスを、小腸の吸収表面から分断し、小腸による、キームス中の栄養分、脂肪分及び他の物質の吸収を低減化し、
（ｉｉｉ）上記抗肥満ステントと小腸の吸収表面との間に位置する胆汁が、ステントの長手方向にわたり、吸収表面によって再吸収され、それにより更に、ステントの末端に存在する、キームス中の脂肪分を分解する胆汁の量が減少する。
【００１０】
上記抗肥満ステントによりなされる、キームスと胆汁との混合の低減、並びに十二指腸の吸収表面とキームスとの分断により、キームス中に含まれる脂肪分の分解及び吸収を顕著に低減化することができる。かかる顕著な低減化は、おそらく十二指腸において分解されるはずであった脂肪分が吸収される結果として生じると考えられる。
【００１１】
更に、上記抗肥満ステントの使用により、十二指腸による、キームス中の栄養分、脂肪分及び他の物質の吸収が減少する。この吸収減少は、上記管状構造部がキームスに対して半透過性若しくは非透過性であることによるものである。その結果、上記管状構造部内に含まれるキームスと、抗肥満ステントが配置されている十二指腸の領域における内側表面との接触が、部分的又は完全に防止される。したがって、十二指腸中の、抗肥満ステントが配置されている領域では、キームス中に含まれる栄養分、脂肪分及び他の物質の吸収が、部分的又は完全に防止される。十二指腸による栄養分、脂肪分及び他の物質の吸収の減少により、患者における食餌摂取量が減少する。また、栄養分、脂肪分及び他の物質の吸収の減少により脂肪の吸収が減少し、それにより、典型的には患者の体重が減少する。
【００１２】
上記抗肥満ステントは、消化液によるファーター乳頭の通過及びそこからの流出を妨げない。これにより、消化液がファーター乳頭を通じて抗肥満ステントへ流入されうる。上記抗肥満ステントは更に、上記輸送構造部を通じて、上記管状構造部の末端に対して消化液を提供する。上記抗肥満ステントによって、消化液によるファーター乳頭の通過若しくは流れが妨げられないことが優位な点として挙げられる。なぜなら、かかるファーター乳頭の通過又は流れが妨害されてしまうことは、望ましくないからである。
【００１３】
糖基抗肥満ステントは、胃から十二指腸に流入する食品及びキームスと、胆汁酸及び膵酵素を含有し、脂質吸収を促進する消化液とを分離させる。抗肥満ステントによるこの分離は、小腸の入り口部分にあたる十二指腸において行われる。抗肥満ステントの使用により、吸収不全がもたらされ、それより肥満が治療される。食品を消化液から分離することにより、消化される量が減少し、それにより、特定の量の食品を摂食することによる体重増加を減少させることが可能となる。また、かかる分離により、キームス中の栄養分、脂肪分及び他の物質の吸収を減少させることができる。
【００１４】
本発明のこれらの特徴、並びに他の特徴は、添付の図面と共に、以下の本発明の具体的実施形態に関する記載から、より詳細に理解される。
【００１５】
各参照番号は、幾つかの図面にわたり共通する、対応する部品を示す。
【発明を実施するための最良の形態】
【００１６】
図面を参照する。図１では、消化管１０の中心部に、抗肥満ステント１２が位置している態様を示す。消化管１０のこの部分には、食道１５、胃１７及び十二指腸２０の遠位部分が存在する。十二指腸２０は、小腸の近位側の部分である。胃１７は幽門部２２を有し、胃出口又は幽門２５を経由して、十二指腸２０につながっている。幽門２５は、胃１７の遠位側の開口部を形成し、筋肉で囲まれた円形の層を有する。それは通常は収縮しており、開口部が閉鎖されているが、それが弛緩することにより、一定の範囲ではあるが開通する。個人差はあるものの、幽門２５は開口時には最大約２ｃｍの直径であり、一方、十二指腸２０は、典型的な患者においては約１８〜２０ｍｍの直径である。キームス２６は、幽門部２２から、幽門２５を通過して、十二指腸２０に至る。十二指腸２０は、内側表面２７及びファーター乳頭３０を有し、胆管及び膵管の融合部分の開口部において、十二指腸壁がトランペット形に開口している。消化物質（消化液３１を含む）は、ファーター乳頭３０を通じて供給され、十二指腸２０の内部に流入する。
【００１７】
抗肥満ステント１２は、図１に示すように、十二指腸２０内に配置される。図２に示すように、抗肥満ステント１２は、外側表面３５及び内側表面３７を有する管状構造部３２を有する。管状構造部３２は、近位端４０及び遠位端４２を有し、十二指腸２０内で、それと実質的に同軸関係を有する態様で嵌合されるサイズに設定される。好ましくは、管状構造部３２を同軸関係と有する態様で配置して、その遠位端４２が、Ｔｒｅｉｔｚ靭帯、又はその遠位側まで同軸的に延びる形にする。管状構造部３２は、典型的には環状の横断面を有する。抗肥満ステント１２の別の実施形態は、管状構造部３２が非環状（例えば楕円形）の横断面を有する。管状構造部３２は、幽門２５を通って十二指腸２０から延びた形態であってもよい。管状構造部３２のかかる実施形態では、安全のため、幽門２５から延びているその断面が、幽門の開口部より実質的に大きい外径を有する。かかる安全対策により、幽門２５中で、管状構造部３２が保持される。管状構造部３２は、十二指腸２０内で、消化物質及びキームス２６に対して非透過性であるか、又は半透過性である。それにより、キームスが管状構造部内で、十二指腸２０の内側表面２７との接触を、部分的又は完全に妨害され、それにより、十二指腸内の抗肥満ステント１２が位置する部分おける、キームス中の栄養分、脂肪分及び他の物質の吸収が部分的又は完全に妨害される。抗肥満ステント１２の別の実施形態として、管状構造部３２が、腸内部で、十二指腸２０に対して軸方向にずれた位置関係を有する態様としてもよい。抗肥満ステント１２は、更に別の用途で、胃腸内で使用してもよい。
【００１８】
管状構造部３２は、伸展テトラフルオロエチレン（ｅＰＴＦＥ）又はポリウレタンで形成されてもよい。管状構造部３２は、医療用原料（例えば公知の生体適合性ポリマー）で形成されてもよい。かかるポリマーは、充填材（例えば金属、炭素繊維、ガラス繊維又はセラミック）を含んでなってもよい。また、かかるポリマーは、オレフィンポリマー、ポリエチレン、ポリプロピレン、ポリ塩化ビニル、非伸長型のテトラフルオロエチレン樹脂、フッ化エチレン−プロピレン共重合体、酢酸ビニル樹脂、ポリスチレン、ポリ（エチレンテレフタレート）、ナフタレンジカルボキシレート誘導体（例えばポリエチレンナフタレート、ポリブチレンナフタレート、ポリトリメチレンナフタレート及びトリメチルエネジオールナフタレート）、ポリウレタン、ポリ尿素、シリコーンゴム、ポリアミド、ポリカーボネート、ポリアルデヒド、天然ゴム、ポリエステルコポリマー、スチレン−ブタジエンコポリマー、ポリエーテル（例えば完全に又は部分的にハロゲン化されたポリエーテル、コポリマー）、及びそれらの組み合わせであってもよい。また、ポリエチレンテレフタラート（ＰＥＴ）ポリエステルなどのポリエステル、ポリプロピレン、ポリエチレン、ポリウレタン、ポリオレフィン、ポリビニル、ポリメチルアセタート、ポリアミド、ナフタレンジカルボキシレン誘導体、及び天然絹糸などを、管状構造部３２に含有させてもよい。代替的な実施形態では、当該管状構造部３２はポリマースリーブであってもよい。
【００１９】
ステント構造を有する管状構造部３２をコンポジット構造中に導入してもよい。当該ステント構造は、細長部材（例えばワイヤ又はカットアウトを有する管状構造）を有してもよい。当該ステント構造を、シールにより管状構造部３２と連結させてもよい。管状構造部３２は、当該ステント構造内で、それと同軸関係で配置してもよい。ステント構造内部のかかる管状構造部３２は、当該管状構造部がステント構造にぶら下がる態様で、それと連結してもよい。ステント構造への管状構造部３２の連結は、１つ以上のスレッド、フィラメント又はそれらに類するコネクタなどにより行われてもよい。
【００２０】
ステント構造内のかかる管状構造部３２の好ましい実施形態は、ステント構造の直径と実質的に同じ直径を有する管状構造部である。かかる好ましい実施形態では、管状構造部３２が更に端部を有し、そこを流動物が流入し、当該ステント構造の対応する端と連結している。これらの管状構造部３２の端及びステント構造は、典型的には近位端と呼ばれる。管状構造部３２の近位端とステント構造との連結により、近位端同士の間の半径方向の隙間が実質的になくなる。かかる半径方向の隙間の存在により、流動物が、管状構造部３２のルーメン側を迂回するための経路が生じる。管状構造部３２を、ステント構造に対して、その近位端に対して遠位側に、同軸の位置環形において更に連結してもよい。
【００２１】
管状構造部３２がステント構造に連結して、その内部に管状構造部が位置することにより、その半径方向内側への移動が制限される。管状構造部３２に対して、当該ステント構造が外側に位置することにより、その半径方向外側への移動が制限される。
【００２２】
更に別の実施形態では、管状構造部３２をステント構造の外側に配置し、ステント構造を管状構造部３２の内側に配置してもよい。管状構造部３２の半径方向外側への移動が、外側の当該ステント構造により制限される。半径方向内側への移動は、内側ステント構造により制限される。管状構造部３２と、同軸関係にある１つ以上のステント構造との連結により、隣接する外側表面及び内側表面が、互いに連続的となる。あるいは、当該連結により、管状構造部３２と１つ以上のステント構造との間の、横方向若しくは半径方向の隙間が形成される。
【００２３】
管状構造部３２はスリーブ構造であってもよく、その内部にステント構造を有してもよい。スリーブ構造３２は、Ｂｏｓｔｏｎ  Ｓｃｉｅｎｔｉｆｉｃ社製の、ＷＡＬＬＳＴＥＮＴ（登録商標）ＲＸ  Ｂｉｌｉａｒｙ  Ｅｎｄｏｐｒｏｓｔｈｅｓｉｓにより構成されるステント構造を、ＰＥＲＭＡＬＵＭＥ（登録商標）シリコーンでカバーしたものであってもよい。
【００２４】
管状構造部３２は、例えばＢｏｓｔｏｎ  Ｓｃｉｅｎｔｉｆｉｃ社製のＷＡＬＬＳＴＥＮＴ（登録商標）ＲＸ  Ｂｉｌｉａｒｙ  Ｅｎｄｏｐｒｏｓｔｈｅｓｉｓによるステント構造であってもよい。あるいは、当該ステント構造は、ボストンＳｃｉｅｎｔｉｆｉｃ社製のＮＩＲ（登録商標）Ｂｉｌｉａｒｙ  Ｓｔｅｎｔ  Ｓｙｓｔｅｍであってもよい。更なる代替的なステント構造であってもよい。
【００２５】
管状構造部３２のステント構造は、例えばニチノール、Ｅｌｇｉｌｏｙ、ステンレス網、コバルトクロム（ＭＰ３５Ｎなど）、コバルトベースの合金、タンタル、ニオブ、プラチナ、金、チタン及びそれらの組み合わせ、及び他の生体適合性の金属、ポリマーなどの材料で形成されてもよい。更に、当該ステント構造は、タンタル、金、プラチナ、インジウム又はそれらの組み合わせから形成された内部コア、並びに、ニチノール製の外部クラッドを有する構造部材を含んでなってもよく、それにより、コンポジット部材の、放射線を用いた可視性を改良してもよい。かかるコンポジット部材の例としては、本願明細書に援用する、米国特許出願公開第２００２／００３５３９６号に開示のものが挙げられる。
【００２６】
管状構造部３２のステント構造は、様々な実施形態をとることができる。例えば、当該ステント構造は自動的に拡張するものであってもよく、又はバルーンによって拡張できるものであってもよい。当該ステント構造は１つ以上のコイル状のステンレス鋼製のスプリング、感熱材料を含むらせんコイル状のスプリング、又はジグザグパターンのステンレス製ワイヤで形成された伸長ステンレス鋼ステントを有してもよい。当該ステント構造は、例えば放射状若しくは円形に拡張若しくは変形することによって、半径方向への伸縮ができるものであってもよい。自動拡張型のステント構造は、機械的にステント構造を放射状に拡張させることができるステント構造であってもよく、また、ステント材料が特定の構成をとるように記憶しているために、１つ以上の特定の温度において拡張することができるステント構造を含む。ニチノール材料をステント構造中に用いることにより、機械的な拡張、又は１つ以上の特定の温度によるニチノールの形状記憶のいずれかによって、ステントを半径方向に膨張させることが可能となる。当該ステント構造は、本願明細書に援用する、米国特許第４５０３５６９号、第４７３３６６５号、第４８５６５１６号、第４５８０５６８号、第４７３２１５２号及び第４８８６０６２号に開示される１つ以上のステント構造を含んでなってもよい。
【００２７】
管状構造部３２は、抗血せん剤（例えばヘパリン、ヘパリン誘導体、ウロキナーゼ及びＰＰａｃｋ（デキストロフェニルアラニンプロリンアルギニンクロロメチルケトン））、抗増殖剤（例えばエノキサプリン、アンギオペプチン又は平滑筋細胞増殖をブロッキングできるモノクローナル抗体、ヒルジン及びアセチルサリチル酸）、抗炎症剤（例えばデキサメタゾン、プレドニゾロン、コルチコステロン、ブデソニド、エストロゲン、スルファサラジン及びメサラミン）、抗腫瘍／抗増殖／抗細胞分裂剤（例えばパクリタキセル、５−フルオロウラシル、シスプラチン、ビンブラスチン、ビンクリスチン、エポチロン、エンドスタチン、アンジオスタチン及びチミジンキナーゼ阻害剤）、麻酔薬（例えばリドカイン、ブピバカイン及びロピバカイン）、抗凝血剤（例えばＤ−Ｐｈｅ−プロ−Ａｒｇクロロメチルケトン、ＲＧＤペプチド含有化合物、ヘパリン、抗トロンビン剤、血小板受容体アンタゴニスト、抗トロンビン抗体、抗血小板受容体抗体、アスピリン、プロスタグランジン阻害剤、血小板阻害剤及びチック抗血小板ペプチド）、脈管細胞増殖刺激因子（例えば成長因子阻害剤、成長因子受容体アンタゴニスト、転写活性化剤及び翻訳プロモーター）、脈管細胞増殖阻害剤（例えば成長因子阻害剤、成長因子受容体アンタゴニスト、転写リプレッサー、翻訳リプレッサー、複製阻害剤、抑制抗体、成長因子と反応する抗体、成長因子と細胞毒素を含んでなる二官能性分子、抗体及び細胞毒素を含んでなる二官能性分子）、並びにコレステロール低減化剤、血管拡張剤及び内因性脈管活性化阻害剤などで処理されていてもよい。
【００２８】
抗肥満ステント１２は輸送構造部４５を有し、その少なくとも一部は、管状構造部３２の外側表面３５と一致するか若しくは連結している。図２及び３において例示される輸送構造部４５の一実施形態では、管状構造部３２の外側表面３５に形成される円周溝４７を有する。円周溝４７は連続的に存在し、管状構造部３２に対して横方向に存在する。図３に示すように、円周溝４７は、管状構造部３２が環状の横断面を有するために、円形の形状を有する。円周溝４７と連続する外側表面３５の部分は各々、十二指腸２０の内側表面２７の直径より大きい外径を有し、それにより、抗肥満ステント１２が十二指腸２０内に配置されたときに、外側表面３５及び内側表面２７との封止がなされる。かかる封止がなされることにより、内側表面２７及び外側表面３５との間の円周溝４７内における消化液３１の漏出が防止される。
【００２９】
横溝４７を有する連続的な外側表面３５の部分は、管状構造部３２が環状の横断面を有するため、それに対応する直径を有する。管状構造部３２の別の実施形態では、非環状の横断面を有する。
【００３０】
図２及び３において例示される輸送構造部４５は、管状構造部３２の外側表面３５に形成される細長い軸方向溝５５を有する。軸方向溝５５は、管状構造部３２に対して軸方向を向き、円周溝４７と連結する。軸方向溝５５は、円周溝４７中の消化液３１を遠位端４２に輸送するための導管として機能する。
【００３１】
抗肥満ステント１２は、管状構造部３２の外側表面３５に連結する少なくとも１つのリテーナ構造部５０を有する。リテーナ構造部５０は十二指腸２０内で管状構造部３２を固定し、それにより、十二指腸に対する円周溝４７の軸方向の配置が、ファーター乳頭３０の軸方向の配置と実質的に同様となる。リテーナ構造部５０の一実施形態では、管状構造部３２の外側表面３５の直径は、円周溝４７が実質的にファーター乳頭３０と同じ軸方向となるように配置されたときに、十二指腸２０の内側表面２７を押圧するのに十分な程のサイズを有する。外側表面３５を内側表面２７に圧接することにより、管状構造部３２が十二指腸２０において、軸方向にずれることが防止される。
【００３２】
抗肥満ステント１２は、外側表面３５に連結される側管５２を有する。側管５２は１つの端部を有し、それと隣接する外側表面３５及び１つ以上の穿孔５３と隣接する。側管５２は、ファーター乳頭３０で嵌入されうる反対側の端部を有する。ファーター乳頭３０は十二指腸２０の一部であって、それに対して消化液３１が分泌される。ファーター乳頭３０から分泌される消化液３１は、外側表面３５の方向を向いている側管５２を通じて伝達される。消化液３１が外側表面３５と接触すると、消化液は穿孔５３を通じて側管５２を出て、軸方向の溝５５に流入する。更に、側管５２のファーター乳頭３０への挿入により、当該側管が安定に保持される。外側表面３５に対する側管５２の連結との組合せによるこの保持により、十二指腸に対する、当該管状構造部の回転及び軸方向へのずれが防止され、それにより、十二指腸２０内での実質的な管状構造部３２の位置固定がなされる。
【００３３】
軸方向溝５５に集合する消化液３１は、管状構造部３２の末端４２の方へ流通する。消化液３１は、遠位端４２に着くと十二指腸２０に流通する。軸方向溝５５から十二指腸２０に流通する、実質的に全ての消化液３１は、遠位端４２に対して遠位側に存在する十二指腸内の一部に入り、そこで保持される。したがって、実質的に全ての消化液３１が管状構造部３２の内側領域に入るのが、部分的又は完全に防止される。その結果、キームスが管状構造部３２内に存在するとき、キームス２６と消化液３１が内部で混合することが部分的又は完全に防止される。
【００３４】
抗肥満ステント１２の別の実施形態では、側管５２を、遠位端４２に対して近位側に存在する外側表面３５の領域に固定してもよい。かかる実施形態では、側管５２は、軸方向に、遠位端４２に対して遠位側の方向に伸びている。側管５２は外側表面３５にアンカーされる。その結果、側管５２の消化液３１は、そこから遠位端４２に隣接する部分に向かって流れ出る。この実施形態では、側管５２は１つ以上の穿孔５３を含んでなってもよく、それにより、消化液３１を側管から出すための、対応する付加的若しくは代替的なポートとしてもよい。穿孔５３を通じて側管５２を出る消化液３１は、軸方向の溝５５に入り、遠位端４２に向かってその内部を流通できる。また、一実施形態では、消化液３１は係る側管５２の末端を出た後に、遠位端４２に対して近位側の位置に末端を有する軸方向の溝５５に入ってもよい。更に別の実施形態では、遠位端４２まで伸びて、穿孔５３を含まない側管５２を用いることにより、上記の軸方向の溝５５が不必要となる。
【００３５】
抗肥満ステント１２の更に別の実施形態では、側管５２は、外側表面３５を貫通して、また外側表面と内側表面３７との間の管状構造部３２の壁を貫通して伸び、遠位端４２に対して近位側の内側表面３７の領域と連結している。かかる実施形態では、側管５２は、遠位端４２に向かって軸方向に伸びる。側管５２は、内側表面３７にアンカーされる。その結果、側管５２の消化液３１は、そこから遠位端４２に隣接する部分に向かって流れ出る。この実施形態では、側管５２は１つ以上の穿孔５３を含んでなってもよく、それらは典型的には遠位端４２に隣接して位置し、消化液３１が側管を出るための対応する付加的若しくは代替的なポートとして機能する。穿孔５３を通って側管５２を出る消化液３１は、管状構造部３２の内部に入り、遠位端４２に向かってその内部を流通する。
【００３６】
抗肥満ステント１２の更に別の実施形態では、側管５２は外側表面３５を通って延び、外側表面と内側表面３７との間の管状構造部３２の壁に封埋又は埋入されていてもよい。この封理又は埋入は、管状構造部３２の軸方向に沿って、遠位端４２に対して近位方向に形成してもよい。かかる実施形態では、側管５２は、軸方向に沿って、遠位端４２に対して遠位方向に伸びている。その結果、側管５２中の消化液３１は、そこから遠位端４２に隣接する部分に向かって流れ出る。この実施形態では、側管５２は１つ以上の穿孔５３を含んでなってもよく、それらは、外側若しくは内側表面３５、３７又は両方の対応する開口部と連結し、消化液３１が側管から出るための、対応する付加的若しくは代替的なポートとして機能する。穿孔５３及び外側表面３５を通って側管５２を出る消化液３１は、軸方向に沿った溝５５に入り、遠位端４２に向かってその内部を流通できる。また、一実施形態では消化液３１は側管５２の末端を出ると、軸方向に沿って、遠位端４２に対して近位側に末端を有し、外側表面３５のポートに通じている溝５５に入る。更なる実施形態では、側管５２は遠位端４２まで伸び、穿孔５３を有さず、それにより軸方向の溝５５が不必要となる。また、側管５２の別の実施形態では、内側表面３７上に、対応する開口部と連結する１つ以上の穿孔５３を有し、それらは典型的には、遠位端４２に隣接して配置された穿孔及び開口部として機能する。内側表面３７上の穿孔５３及び開口を通って側管５２を出る消化液３１は、管状構造部３２の内部に入り、その中を通って遠位端４２に流通する。
【００３７】
抗肥満ステント１２の別の実施形態では、側管５２を有さない。この実施形態では、十二指腸２０内に抗肥満ステント１２を配置することにより、消化液３１が、ファーター乳頭３０を通って十二指腸２０の内部に流れ、円周溝４７に集中する。この実施形態では、円周溝４７に集中した消化液３１は、管状構造部３２の末端４２の方へ、軸方向の溝５５に沿って流れる。
【００３８】
別の実施形態では、輸送構造部４５は管状構造部３２と一体である導管を有し、当該導管は外側表面３５及び内側表面３７の間に存在する。輸送構造部４５中の消化液３１は、導管を通じて遠位端４２に輸送される。
【００３９】
別の実施形態に係る抗肥満ステント１２ａを図４に示す。図１から３で示す部品に対応する、図４中の部品は、図４において、図１から３に記載の同じ参照番号に「ａ」を付すことにより表す。この別の実施形態では、輸送構造部４５ａは、軸方向に沿った複数の溝５５ａを有する。軸方向の溝５５ａは、消化液３１を、遠位端４２ａに供給するための対応する導管として機能する。
【００４０】
別の実施形態に係る抗肥満ステント１２ｂを、図５に示す。図１から３で示す部品に対応する、図５中の部品は、図５において、図１から３に記載の同じ参照番号に「ｂ」を付すことにより表す。この別の実施形態では、輸送構造部４５ｂはメッシュ構造５７を有する。当該メッシュ構造５７はチューブ上であり、横方向の溝４７ｂの直径より大きい直径を有する。
【００４１】
メッシュ構造５７は、環状の横断面を有する管状構造部３２ｂを有するため、環状の横断面を有する。別の実施形態に係るメッシュ構造５７は、非環状の横断面を有する。
【００４２】
メッシュ構造５７は管状構造部３２ｂと連結し、同軸の位置関係を有し、それにより、当該メッシュ構造が円周溝４７ｂをカバーして、十二指腸２０の内側表面２７と円周溝との間に、横方向若しくは放射状の隙間を形成させる。当該メッシュ構造５７は、十二指腸２０の内側表面２７が円周溝４７ｂに達するのを防止する。また、メッシュ構造５７は、十二指腸２０の内側表面２７が、円周溝４７ｂ内に存在する管状構造部３２ｂの表面と接触するのを防止する。内側表面２７によるかかる接触の防止により、ファーター乳頭３０からの消化液３１の通過が、管状構造部３２ｂにより妨害されなくなる。管状構造部３２ｂと内側表面２７との接触は、消化液３１のファーター乳頭３０からの通過及び流れを妨げうるからである。
【００４３】
図５に示されるメッシュ構造５７は、管状構造部３２ｂの外側表面３５ｂの直径と実質的に同じ直径有し、それにより、当該メッシュ構造は外側表面３５ｂと実質的に同一平面上に位置する。代替的な実施形態では、当該メッシュ構造５７の直径は、外側表面３５ｂの直径より小さくてもよいが、但し、メッシュ構造５７の直径が、横方向の溝４７ｂの最小直径より大きいことが必要である。
【００４４】
側管５２ｂは、管状構造部３２への側管５２のアンカーリングに対応して、様々な構成の管状構造部３２ｂにアンカーリングされていてもよい。あるいは、側管５２ｂはメッシュ構造５７にアンカーリングされてもよい。
【００４５】
抗肥満ステント１２ｂは、別の実施形態の輸送構造部４５ｂを有する。輸送構造部５２ｂは、管状構造部３２ｂの内側表面３７ｂに連結するブリード管６５を有する。ブリード管６５は円周状の溝４７ｂと連結し、それにより、消化液３１がブリード管を通って遠位端４２ｂに流通する。
【００４６】
更に別の実施形態に係る抗肥満ステント１２ｃを図６に示す。図１から３で示す部品に対応する、図６中の部品は、図６において、図１から３に記載の同じ参照番号に「ｃ」を付すことにより表す。管状構造部３２ｃは、近位部分６０及び遠位部分６２を有する。近位部分６０は、遠位部分６２の外径より大きい外径を有する。近位部分６０は、管状構造部３２ｃを十二指腸２０内に配置した際に、ファーター乳頭３０に対して、軸方向に沿って近位側に位置する。
【００４７】
近位部分６０及び遠位部分６２は、それぞれ環状の横断面を有する。別の実施形態では、近位部分６０及び遠位部分６２は非環状の横断面を有してもよい。
【００４８】
輸送構造部４５ｃは管状であり、環状の横断面を有するメッシュ構造６７を有する。メッシュ構造６７の直径は、遠位部分６２の外側表面３５ｃの直径より大きい。メッシュ構造６７は、遠位部分６２と同軸の位置関係で、近位部分６０と連結する。メッシュ構造６７は、近位部分６０及び遠位端４２ｃとの間に存在し、それにより、メッシュ構造６７は、十二指腸２０の内側表面２７と、遠位部分６２の外側表面３５ｃとの間に、横方向若しくは放射状の隙間を形成する。横方向若しくは放射状の隙間の存在により、ファーター乳頭３０を通じた消化液３１の通過が、管状構造部３２ｃにより妨害されなくなる。メッシュ構造６７の直径は、近位部分６０の外径と実質的に同様であり、それにより、当該メッシュ構造が、近位部分６０の外側表面３５ｃと実質的に同一平面上に存在することとなる。
【００４９】
側管５２ｃは、管状構造部３２への側管５２のアンカーリングに対応して、様々な構成の管状構造部３２ｃにアンカーリングされていてもよい。あるいは、側管５２ｃはメッシュ構造６７にアンカーリングされていてもよい。
【００５０】
別の実施形態に係る、抗肥満ステント１２ｄを図７に示す。図１から３で示す部品に対応する、図７中の部品は、図７において、図１から３に記載の同じ参照番号に「ｄ」を付すことにより表す。輸送構造部４５ｄは、管状構造部３２ｄの外側表面３５ｄに連結する芯材７０を有する。芯材７０はメッシュ構造又はスポンジ構造であってもよい。芯材７０は環状の横断面を有し、遠位端４２ｄまで伸びている。芯材７０はポリマー性の繊維で形成され、中空であってもよい。あるいは、芯材７０はＰＴＦＥで形成されてもよい。芯材７０はファーター乳頭３０と直接接触し、そこから出る消化液３１が芯材により吸収されて、その芯材により４２ｄ遠位端に伝達される。別の実施形態では、円周状の溝４７、４７ｂに存在する消化液３１は、芯材７０により吸収され、その芯材により遠位端４２、４２ｂに伝達されうる。
【００５１】
側管５２ｄは管状構造部３２ｄに様々な構成でアンカーリングされていてもよく、それは管状構造部３２への側管５２のアンカーリングに対応する。側管５２ｄは、管状構造部３２ｄと連結されたとき、軸方向の位置関係を有しそれにより、当該側管が芯材７０と直接接触するか、あるいは当該側管が、芯材から軸方向に分離された芯材に対して近位側に位置する。
【００５２】
別の実施形態に係る抗肥満ステント１２ｄを図８に示す。図１から３で示す部品に対応する、図８中の部品は、図８において、図１から３に記載の同じ参照番号に「ｅ」を付すことにより表す。輸送構造部４５ｅは溝７２を有し、その溝は管状構造部３２ｅに対してオフセットで、長手方向に向かって回転する態様で設けられている。図８に示すように、これらはオフセットで長手方向に向かって回転する態様で設けられているため、環状の横断面を有する管状構造部３２ｅにおいて、らせん溝７２を形成する。らせん溝７２は、実質的に管状構造部３２ｅの縦軸と一致する縦軸を有する。らせん溝７２は、消化液３１を遠位端４２ｅに伝達させる導管として機能する。これは、抗肥満ステント１２ｅを、らせん溝（典型的には近位端４０ｅの近傍のもの）の断面がファーター乳頭３０と同じ軸上の位置関係となるように、十二指腸２０内に配置することにより可能となる。その結果、ファーター乳頭３０を通って十二指腸２０の内部に至った消化液３１は、らせん溝７２に流れる。消化液３１は、らせん溝７２中を遠位端４２ｅの方へ移動し、その後ファーター乳頭３０から続いているらせん溝を流通する。消化液３１は、末端部方向へ移動する間、らせん溝７２中に存在し、それにより、消化液がらせん溝の方向に沿って、外側表面３５ｅ周辺を流通する。
【００５３】
らせん溝７２を通じた消化液３１の流れにより、消化液３１による、十二指腸２０の内側表面２７の暴露及び接触の程度が増加する。この消化液３１と内側表面２７との接触は更に、外側表面３５ｅの直径を、外側表面３５ｅと十二指腸の内側表面２７との間の、横方向若しくは放射状の隙間を制限するのに十分なサイズとすることによって促進される。消化液３１と内側表面２７との接触を増加させることにより、十二指腸２０の内側表面２７による消化液の吸収が促進される。消化液３１のかかる吸収により、キームス２６との混合が効率的に減少する。
【００５４】
別の実施形態に係る抗肥満ステント１２ｆを図９に示す。図１から３で示す部品に対応する、図９中の部品は、図９において、図１から３に記載の同じ参照番号に「ｆ」を付すことにより表す。この別の実施形態では、管状構造部３２ｆは、十二指腸２０内で、それと共に実質的に同軸の位置関係で嵌合するサイズを有する。外側表面３５ｆは、十二指腸２０の内側表面２７の横断面の形状と実質的に同様の横断面の形状を有する。管状構造部３２ｆの外側表面３５ｆの直径は、管状構造部３２ｆを十二指腸２０内に配置したときに、外側表面３５ｆと内側表面２７との間の、半径方向の隙間の形成を制限するのに十分なサイズを有する。管状構造部３２ｆの外側表面３５ｆの直径は、管状構造部３２ｆを十二指腸２０内に配置したときに、外側表面３５ｆが内側表面２７と係合して、外側表面３５ｆと内側表面２７との間の、半径方向の隙間の形成が実質的に防止されるのに十分なサイズを有してもよい。管状構造部３２ｆは、十二指腸２０内で、消化物質及びキームス２６に対して非透過性若しくは半透過性である。
【００５５】
管状構造部３２ｆの外側表面３５ｆに連結するリテーナ構造部５０ｆは、十二指腸２０内で管状構造部３２ｆを固定し、その近位端４０ｆがファーター乳頭３０に隣接し、遠位側に存在する。ファーター乳頭３０に対して遠位側に位置する近位端４０ｆは、キームス２６と、ファーター乳頭３０を通って十二指腸２０の内部に流入する消化液３１との混合を防止しない。近位端４０ｆに対して、軸に沿って近位側に位置するキームス２６及び消化液３１は、近位端４０ｆを通って管状構造部３２ｆの内部に流入する。キームス２６及び消化液３１は、管状構造部３２ｆの内部を流通し続け、遠位端４２ｆを通って管状構造部から出る。
【００５６】
管状構造部３２ｆの外側表面３５ｆと、十二指腸２０の内側表面２７との間の半径方向の隙間の形成を制限することにより、外側表面３５ｆと内側表面２７との間における、キームス２６及び消化液３１の流れが制限される。その結果、十二指腸２０の内側表面２７による、キームス２６及び消化液３１中の栄養分、脂肪分及び他の物質の吸収が、管状構造部３２ｆが位置する十二指腸２０の軸方向部分において制限される。その結果、十二指腸２０によるキームス２６中の栄養分、脂肪分及び他の物質の吸収が減少する。
【００５７】
別の実施形態に係る抗肥満ステント１２ｇを、図１０に示す。図１から３で示す部品に対応する、図１０中の部品は、図１０において、図１から３に記載の同じ参照番号に「ｇ」を付すことにより表す。リテーナ構造５０ｇは、図１０に示すように、管状構造部３２ｇの近位部分６８を有し、外に向かって広がった近位端４０ｇを含む。近位部分６８は、輸送構造部４５ｇに対して、軸に沿って近位側に位置する。近位部分６８は、輸送構造部４５ｇとの間で軸方向に十分な距離で分離されており、それにより、輸送構造部４５ｇを配置したとき、近位部分６８が幽門２５を通って延び、ファーター乳頭３０からの消化液３１を受容する位置関係をとることができる。幽門２５を通して近位部分６８を拡張することにより、キームス２６が、胃１７の幽門部２２に存在する管状構造部３２ｇに流入する。その結果、キームス２６は、キームスが十二指腸２０に入った時にも管状構造部３２ｇ内に存在する。これにより、キームス２６が内側表面２７により吸収されることや、又は遠位端４２ｇの上流に存在する十二指腸２０中の消化液３１と混合されることが防止される。
【００５８】
近位部分６８は拡張する形状を有し、それにより、幽門２５を通って伸張する、近位端４０ｇ及び近位部分６８の隣接部分が、管状構造部３２ｇの中間部の外径より大きい外径を有する態様となる。近位部分６８の外向きのフレアーの存在により、管状構造部３２ｇが軸方向に沿って十二指腸２０に対して末端方向に移動することが防止される。近位部分６８及び管状構造部３２ｇの中間部は、管状構造部３２ｇが環状の横断面を有する結果として、環状の横断面を有する。リテーナ構造５０ｇは、別の実施形態に係る抗肥満ステント（例えば抗肥満ステント１２、１２ａ、１２ｂ、１２ｃ、１２ｄ、１２ｅ）に導入してもよい。
【００５９】
管状構造部３２ｇの近位部分６８は、幽門２５の内側表面を押すのに十分大きい外径を有し、それにより、管状構造部３２ｇが、十二指腸２０に対して軸方向に移動する際の抵抗力が生じる。近位部分６８は環状の横断面を有する。リテーナ構造５０ｇは更に、幽門２５を通って延びる近位部分６８の外側表面に形成される円周溝を有してもよい。この円周溝は、近位部分６８に対して軸方向に位置し、幽門２５の内側表面が円周溝に至り、それにより、管状構造部３２ｇが十二指腸２０に対して軸方向に移動する際の抵抗力が生じる。円周溝は、近位部分６８に対して横方向に存在してもよく、環状であってもよい。
【００６０】
別の実施形態に係る抗肥満ステント１２ｈを、図１１に示す。図１から３で示す部品に対応する、図１１中の部品は、図１１において、図１から３に記載の同じ参照番号に「ｈ」を付すことにより表す。この別の実施形態では、リテーナ構造５０ｈは近位アンカー７５を有し、それは管状で、内側表面を有し、そこにおいて管状構造部３２ｈの外側表面３５ｈと連結している。近位アンカー７５は、近位端４０ｈに隣接して配置されている。リテーナ構造５０ｈは更に遠位アンカー７７を有し、それは環状で、内側表面を有し、そこにおいて外側表面３５ｈと連結している。遠位アンカー７７は、遠位端４２ｈに隣接して配置されている。
【００６１】
近位アンカー７５及び遠位のアンカー７７は、十二指腸２０の内側表面２７と、その近位アンカー及び遠位アンカーに対応する外側表面８０及び８２と係合するのに十分なサイズの外径となるように、横方向に拡張させることができる。この係合により、管状構造部３２ｈが十二指腸２０内に配置されたとき、外側表面８０及び８２と、内側表面２７との間に実質的に半径方向の隙間が形成されることが防止され、それにより、ファーター乳頭３０が近位アンカー７５と遠位アンカー７７との間に軸方向に位置することとなる。ファーター乳頭３０に対する、近位アンカー７５及び遠位アンカー７７の軸方向の配置により、ファーター乳頭を通じて十二指腸２０へ流れる消化液３１が、管状構造部３２ｈと内側表面２７との間に入ることが可能となる。遠位アンカー７７若しくは管状構造部３２ｈの遠位部分、又はその両方は、管状構造部３２ｈと十二指腸２０内の内側表面２７との間に存在する消化液３１に対して浸透性である。
【００６２】
別の実施形態に係る抗肥満ステント１２ｉを、図１２に示す。図１から３で示す部品に対応する、図１２中の部品は、図１２において、図１から３に記載の同じ参照番号に「ｉ」を付すことにより表す。この別の実施形態では、輸送構造部４５ｉは細長い支持部材８５を有し、それにより、管状構造部３２ｉの外側表面３５ｉに対して固定される。支持部材８５は、管状構造部３２ｉに対してオフセットで、回転しながら縦方向に向かって配置されている。このように、支持部材８５がオフセットで、回転しながら縦方向に向かって配置されることにより、管状構造部３２ｉに対してらせん状の構造となり、図１２に示すように環状の横断面を有する。支持部材８５は、実質的に管状構造部３２ｉの縦軸と一致する縦軸を有する。支持部材８５は十二指腸２０の内側表面２７と接触し、内側表面２７と管状構造部３２ｉの外側表面３５ｉとの間に、横方向若しくは放射状の隙間を形成する。当該横方向若しくは放射状の隙間の存在により、ファーター乳頭３０と管状構造部３２ｉとが分離し、それによりファーター乳頭３０からの消化液３１の流れが促進される。
【００６３】
支持部材８５は、開いた近位端９０及び遠位端９２を有する管状構造部８７を有する。消化液３１は、近位端９０を通じて、管状構造部８７のルーメンに流れる。消化液３１は、ルーメンを通じて、遠位端９０に流れる。
【００６４】
支持部材８５は、管状構造部８７に穿孔９５を有する。穿孔９５は、管状構造部８７のルーメンに消化液３１を流通させる。ルーメンに流れる消化液３１は、その内部を末端部方向に移動し、遠位端９２から出る。
【００６５】
別の実施形態に係る支持部材８５は、近位端９０が閉鎖されており、それにより、穿孔９５が、消化液３１が管状構造部８７のルーメンに入り込むための入り口として機能する。更に別の実施形態に係る支持部材８５は、穿孔９５を有さず、それにより、近位端９０の開口部が、消化液３１が管状構造部８７のルーメンに入り込むための入り口として機能する。支持部材８５の更に別の実施形態として、管状構造部８７がルーメンを有さず、それにより、消化液３１が十二指腸２０の内側表面２７と、管状構造部３２ｉの外側表面３５ｉとの間に存在する、横方向若しくは放射状の隙間を通って、遠位端４２ｉの方へ流れる。
【００６６】
外側表面３５ｉに対して支持部材８５を連結して固定する。支持部材８５と内側表面２７を接触させることにより、内側表面２７に対して支持部材８５が移動しようとする際、抵抗力が生じる。その結果、支持部材８５はリテーナ構造部５０ｉを形成する。
【００６７】
更に別の実施形態では、支持部材８５は、図１２に示すらせん状の支持部材の代替としての、外側表面３５ｉに固定される少なくとも３つの長手方向支持部材を有してもよい。当該長手方向支持部材は、管状構造部３２ｉに対して縦方向に配置される。当該長手方向支持部材は、互いに等間隔で、外側表面３５ｉに対して円周方向に配置される。当該長手方向支持部材は、内側表面２７と外側表面３５ｉとの間に、横方向若しくは放射状の隙間を形成する。
【００６８】
長手方向支持部材は各々、開いた近位端及び遠位端を有する管状構造部を有する。消化液３１は、近位端を通って、長手方向支持部材の管状構造部のルーメンに流れる。消化液３１は、ルーメンを通って、長手方向支持部材の末端側に移動する。
【００６９】
長手方向支持部材は、その対応する管状構造部中に穿孔を有する。当該穿孔は、消化液３１を管状構造部のルーメン側に流通させる。ルーメン側に流通する消化液３１は、その内部を通って末端部方向に移動し、遠位端から出る。
【００７０】
長手方向支持部材の別の実施形態では、対応する近位端が閉鎖されており、それにより、穿孔が、消化液３１が管状構造部のルーメンに流れ込むための入り口として機能する。長手方向支持部材の更に別の実施形態では、穿孔を有さず、それにより、開いた近位端が、消化液３１が管状構造部のルーメンに流れ込むための入り口として機能する。長手方向支持部材の更に別の実施形態では、管状構造部が対応するルーメンを有さず、それにより、消化液３１が十二指腸２０の内側表面２７と管状構造部の外側表面との間に存在する、横方向若しくは放射状の隙間を流通し、その遠位端へ移動することが可能となる。
【００７１】
管状構造部の外側表面に長手方向支持部材を連結し、支持部材を固定する。長手方向支持部材と内側表面２７との接触により、内側表面２７に対して、支持部材が移動しようとする際、抵抗力が生じる。その結果、長手方向支持部材は、リテーナ構造として機能する。
【００７２】
抗肥満ステント１２、１２ａ、１２ｂ、１２ｃ、１２ｄ、１２ｅ、１２ｆ、１２ｇ、１２ｈ及び１２ｉの別の実施形態では、それぞれリテーナ構造部５０、５０ａ、５０ｂ、５０ｃ、５０ｄ、５０ｅ、５０ｆ、５０ｇ、５０ｈを有する。それらは、外側表面３５、３５ａ、３５ｂ、３５ｃ、３５ｄ、３５ｅ、３５ｆ、３５ｇ、３５ｈに形成される円周溝を有し、それにより、十二指腸２０の内側表面２７が円周溝に至り、十二指腸２０に対して、管状構造部３２、３２ａ、３２ｂ、３２ｃ、３２ｄ、３２ｅ、３２ｆ、３２ｇ、３２ｈが軸方向に移動しようとする際、抵抗力が生じる。かかる円周溝は、管状構造部３２、３２ａ、３２ｂ、３２ｃ、３２ｄ、３２ｅ、３２ｆ、３２ｇ、３２ｈに対して横方向に存在し、環状の構造を有してもよい。
【００７３】
抗肥満ステント１２、１２ａ、１２ｂ、１２ｃ、１２ｄ、１２ｅ、１２ｆ、１２ｇ及び１２ｈの更に別の実施形態では、それぞれリテーナ構造部５０、５０ａ、５０ｂ、５０ｃ、５０ｄ、５０ｅ、５０ｆ、５０ｇ、５０ｈを有する。それらは管状構造部３２、３２ａ、３２ｂ、３２ｃ、３２ｄ、３２ｅ、３２ｆ、３２ｇ、３２ｈの外側表面３５、３５ａ、３５ｂ、３５ｃ、３５ｄ、３５ｅ、３５ｆ、３５ｇ、３５ｈから延びている突出部を有する。当該突出部は外側表面を有し、管状の構造３２、３２ａ、３２ｂ、３２ｃ、３２ｄ、３２ｅ、３２ｆ、３２ｇ、３２ｈ及び３２ｉが十二指腸２０内に配置されたとき、突出部の外側表面が十二指腸２０の内側表面２７と係合しうる直径を有する。また、輸送構造部４５、４５ａ、４５ｂ、４５ｃ、４５ｄ、４５ｅ、４５ｆ、４５ｇ、４５ｈ及び４５ｉは、ファーター乳頭３０から消化液３１を受容できる態様で、軸に対して配置される。十二指腸２０の内側表面２７と突出部との係合により、十二指腸２０に対して、管状構造部３２、３２ａ、３２ｂ、３２ｃ、３２ｄ、３２ｅ、３２ｆ、３２ｇ、３２ｈ、３２ｉが軸方向に移動しようとする際、抵抗力が生じる。突出部は、示される遠位端を有するフック及びピンをしてもよく、１つ以上の棘を有してもよい。突出部は内側表面２７と係合し、それにより、管状構造部が様々な直径の外側表面３５、３５ａ、３５ｂ、３５ｃ、３５ｄ、３５ｅ、３５ｆ、３５ｇ、３５ｈ及び３５ｉである場合であっても、管状構造部３２、３２ａ、３２ｂ、３２ｃ、３２ｄ、３２ｅ、３２ｆ、３２ｇ、３２ｈ及び３２ｉが軸方向に移動する際に、抵抗力が生じる。かかる外側表面３５、３５ａ、３５ｂ、３５ｃ、３５ｄ、３５ｅ、３５ｆ、３５ｇ、３５ｈ及び３５ｉは、内側表面２７の直径より小さい直径を有してもよく、あるいは内側表面２７の直径より大きい直径を有してもよい。管状構造部３２、３２ａ、３２ｂ、３２ｃ、３２ｄ、３２ｅ、３２ｆ、３２ｇ、３２ｈ及び３２ｉは環状の断面を有し、それにより、外側表面３５、３５ａ、３５ｂ、３５ｃ、３５ｄ、３５ｅ、３５ｆ、３５ｇ、３５ｈ及び３５ｉは環状の構造を有する。
【００７４】
抗肥満ステント１２、１２ａ、１２ｂ、１２ｃ、１２ｄ、１２ｅ、１２ｆ、１２ｇ及び１２ｈの更に別の実施形態では、それぞれリテーナ構造部５０、５０ａ、５０ｂ、５０ｃ、５０ｄ、５０ｅ、５０ｆ、５０ｇ、５０ｈを有する。それは詳細には、粗い表面又はギザギザを有する外側表面３５、３５ａ、３５ｂ、３５ｃ、３５ｄ、３５ｅ、３５ｆ、３５ｇ、３５ｈの１つ以上のセクションを有する。かかる外側表面３５、３５ａ、３５ｃ、３５ｂ、３５ｅ、３５ｄ、３５ｆ、３５ｇ及び３５ｈは、内側表面２７の直径と実質的に同じか若しくはそれ以上の直径を有する。管状構造部３２、３２ａ、３２ｂ、３２ｃ、３２ｄ、３２ｅ、３２ｆ、３２ｇ及び３２ｈは、環状の断面を有し、それにより、外側表面３５、３５ａ、３５ｂ、３５ｃ、３５ｄ、３５ｅ、３５ｆ、３５ｇ及び３５ｈは環状の構造を有する。
【００７５】
抗肥満ステント１２、１２ａ、１２ｂ、１２ｃ、１２ｄ、１２ｅ、１２ｆ、１２ｇ及び１２ｈの更に別の実施形態では、それぞれリテーナ構造部５０、５０ａ、５０ｂ、５０ｃ、５０ｄ、５０ｅ、５０ｆ、５０ｇ、５０ｈを有する。それらは詳細には、管状構造部３２、３２ａ、３２ｂ、３２ｃ、３２ｄ、３２ｅ、３２ｆ、３２ｇ、３２ｈに固定された半硬質のバンドを有する。当該半硬質のバンドは弓形若しくは円形であり、管状構造部３２、３２ａ、３２ｂ、３２ｃ、３２ｄ、３２ｅ、３２ｆ、３２ｇ、３２ｈに対して横方向を向いている。当該半硬質のバンドは、十二指腸２０の内側表面２７に管状構造部３２、３２ａ、３２ｂ、３２ｃ、３２ｄ、３２ｅ、３２ｆ、３２ｇ及び３２ｈをアンカーリングするのに十分なサイズの外径を有するように適宜拡張させることができる。当該半硬質のバンドは、バンドの横方向の拡張を可能にするラチェット機構を有してしてもよい。当該半硬質のバンドは、ポリマー物質又は金属を含んでなってもよい。
【００７６】
更に別の実施形態では、抗肥満ステント１２、１２ａ、１２ｂ、１２ｃ、１２ｄ、１２ｅ、１２ｆ、１２ｇ及び１２ｈはそれぞれリテーナ構造部５０、５０ａ、５０ｂ、５０ｃ、５０ｄ、５０ｅ、５０ｆ、５０ｇ及び５０ｈを有する。それらは詳細には、管状構造部３２、３２ａ、３２ｂ、３２ｃ、３２ｄ、３２ｅ、３２ｆ、３２ｇ、３２ｈに固定された折り畳み環構造を有する。かかる折り畳み環構造により、十二指腸２０内において、管状構造部３２、３２ａ、３２ｂ、３２ｃ、３２ｄ、３２ｅ、３２ｆ、３２ｇ、３２ｈの拡張及び保持が改善される。
【００７７】
更に別の実施形態では、抗肥満ステント１２、１２ａ、１２ｂ、１２ｃ、１２ｄ、１２ｅ、１２ｆ、１２ｇ、１２ｈ及び１２ｉは、それぞれリテーナ構造部５０、５０ａ、５０ｂ、５０ｃ、５０ｄ、５０ｅ、５０ｆ、５０ｇ、５０ｈ及び５０ｉを有する。それらは詳細には、管状構造部３２、３２ａ、３２ｂ、３２ｃ、３２ｄ、３２ｅ、３２ｆ、３２ｇ、３２ｈ、３２ｉに固定される１つ以上の細長いアンカー部材を有する。各アンカー部材は弓形で、管状構造部３２、３２ａ、３２ｂ、３２ｃ、３２ｄ、３２ｅ、３２ｆ、３２ｇ、３２ｈ、３２ｉに対して横方向に配置されている。当該アンカー部材は、３００度の角度を有する弓形であってもよい。当該アンカー部材は、外側表面３５、３５ａ、３５ｂ、３５ｃ、３５ｄ、３５ｅ、３５ｆ、３５ｇ、３５ｈ及び３５ｉから外側へ放射状に延び、十二指腸２０の内側表面２７に対して、管状構造部３２、３２ａ、３２ｂ、３２ｃ、３２ｄ、３２ｅ、３２ｆ、３２ｇ、３２ｈ及び３２ｉをアンカーリングするのに十分な距離を形成する。１つ以上のアンカー部材を弓形の構造とすることにより、各弓形部材の両端の間に、対応する周囲ギャップが形成される。当該周囲ギャップの存在により、外側表面３５、３５ａ、３５ｂ、３５ｃ、３５ｄ、３５ｅ、３５ｆ、３５ｇ、３５ｈ及び３５ｉと、内側表面２７との間の領域において、半径方向の隙間を増加させ、それにより、当該領域における消化液３１の軸方向への流動を促進する。
【００７８】
抗肥満ステント１２、１２ａ、１２ｂ、１２ｃ、１２ｄ、１２ｅ、１２ｆ、１２ｇ及び１２ｈの更に別の実施形態では、それぞれリテーナ構造部５０、５０ａ、５０ｂ、５０ｃ、５０ｄ、５０ｅ、５０ｆ、５０ｇ及び５０ｈは縫合部を有する。かかる縫合部により、管状構造部３２、３２ａ、３２ｂ、３２ｃ、３２ｄ、３２ｅ、３２ｆ、３２ｇ及び３２ｈの外側表面３５、３５ａ、３５ｂ、３５ｃ、３５ｄ、３５ｅ、３５ｆ、３５ｇ及び３５ｈが、十二指腸２０の内側表面２７に、別の実施形態では胃１７にアンカーリングされる。当該縫合部の存在により、抗肥満ステント１２、１２ａ、１２ｂ、１２ｃ、１２ｄ、１２ｅ、１２ｆ、１２ｇ及び１２ｈが、十二指腸２０及び胃１７に対して軸方向に移動すること、又は回転による移動が防止される。
【００７９】
抗肥満ステント１２、１２ａ、１２ｂ、１２ｃ、１２ｄ、１２ｅ、１２ｆ、１２ｇ及び１２ｈの更に別の実施形態は、それぞれリテーナ構造部５０、５０ａ、５０ｂ、５０ｃ、５０ｄ、５０ｅ、５０ｆ、５０ｇ及び５０ｈを有する。それらは詳細には、外側表面３５、３５ａ、３５ｂ、３５ｃ、３５ｄ、３５ｅ、３５ｆ、３５ｇ及び３５ｈと、内側表面２７とを互いに接着させる接着物質を含んでなる。かかる外側表面３５、３５ａ、３５ｃ、３５ｂ、３５ｅ、３５ｄ、３５ｆ、３５ｇ及び３５ｈは、内側表面２７の直径と実質的に同じ若しくはそれ以上の直径を有する。管状構造部３２、３２ａ、３２ｂ、３２ｃ、３２ｄ、３２ｅ、３２ｆ、３２ｇ及び３２ｈは、環状の断面を有し、それにより、外側表面３５、３５ａ、３５ｂ、３５ｃ、３５ｄ、３５ｅ、３５ｆ、３５ｇ及び３５ｈは環状の構造を有する。抗肥満ステント１２ｉの更に別の実施形態では、粘着物質を含んでなるリテーナ構造部５０ｉを有し、それにより、支持部材８５と内側表面２７の外側表面とが互いに接着する。
【００８０】
更に別の実施形態に係る抗肥満ステント１２、１２ａ、１２ｂ、１２ｃ、１２ｄ、１２ｅ、１２ｆ、１２ｇ及び１２ｈは、それぞれリテーナ構造部５０、５０ａ、５０ｂ、５０ｃ、５０ｄ、５０ｅ、５０ｆ、５０ｇ及び５０ｈを有する。それらは詳細には、細胞（例えば十二指腸２０の内側表面２７に存在する細胞）の増殖を誘導して、外側表面３５、３５ａ、３５ｂ、３５ｃ、３５ｄ、３５ｅ、３５ｆ、３５ｇ及び３５ｈの管状構造部３２、３２ａ、３２ｂ、３２ｃ、３２ｄ、３２ｅ、３２ｆ、３２ｇ及び３２ｈに至らしめる。抗肥満ステント１２ｉの更に別の実施形態では、リテーナ構造部５０ｉは、細胞（例えば十二指腸２０の内側表面２７に存在する細胞）の増殖を誘導して、支持部材８５の外側表面に至らしめる。
【００８１】
抗肥満ステント１２、１２ａ、１２ｂ、１２ｃ、１２ｄ、１２ｅ、１２ｆ、１２ｇ及び１２ｈの更に別の実施形態は、それぞれリテーナ構造部５０、５０ａ、５０ｂ、５０ｃ、５０ｄ、５０ｅ、５０ｆ、５０ｇ及び５０ｈを有する。それらは詳細には、管状構造部３２、３２ａ、３２ｂ、３２ｃ、３２ｄ、３２ｅ、３２ｆ、３２ｇ及び３２ｈ内に配置されるバルーン若しくはスポンジを有する。かかるバルーン及びスポンジは、管状構造部３２、３２ａ、３２ｂ、３２ｃ、３２ｄ、３２ｅ、３２ｆ、３２ｇ及び３２ｈが十二指腸２０に配置された後で膨張する。かかるバルーン及びスポンジの膨張の結果、管状構造部３２、３２ａ、３２ｂ、３２ｃ、３２ｄ、３２ｅ、３２ｆ、３２ｇ及び３２ｈが半径方向に膨張し、それにより、外側表面３５、３５ａ、３５ｂ、３５ｃ、３５ｄ、３５ｅ、３５ｆ、３５ｇ及び３５ｈと内側表面２７とが係合し、十二指腸２０内で当該管状構造部がアンカーリングされる。
【００８２】
抗肥満ステント１２、１２ａ、１２ｂ、１２ｃ、１２ｄ、１２ｅ、１２ｆ、１２ｇ、１２ｈ及び１２ｉの別の実施形態では、輸送構造部４５、４５ａ、４５ｂ、４５ｃ、４５ｄ、４５ｅ、４５ｆ、４５ｇ、４５ｈ、４５ｉが互いに組み合わせた異なる実施形態であり、それにより、その内部に存在する消化液３１がそれぞれの輸送建造部の内部を流通し、遠位端４２、４２ａ、４２ｂ、４２ｃ、４２ｄ、４２ｅ、４２ｆ、４２ｇ、４２ｈ、４２ｉに至る。輸送構造部４５、４５ａ、４５ｂ、４５ｃ、４５ｄ、４５ｅ、４５ｆ、４５ｇ、４５ｈ及び４５ｉのかかる組合せにより、輸送構造部のうちの１つが、その輸送構造部の近位側において、ファーター乳頭３０と直接連結する。輸送構造部のもう一方は、遠位端４２、４２ａ、４２ｂ、４２ｃ、４２ｄ、４２ｅ、４２ｆ、４２ｇ、４２ｈ、４２ｉと連続する。当該輸送構造部の近位側と遠位側を互いに直接連結させることにより、それらは、ファーター乳頭３０から遠位端４２、４２ａ、４２ｂ、４２ｃ、４２ｄ、４２ｅ、４２ｆ、４２ｇ、４２ｈ及び４２ｉまで消化液３１を流通させるための導管として機能する更に別の実施形態では、更なる輸送構造部を、輸送構造部の近位側と遠位側の間に連結してもよく、それにより、ファーター乳頭３０から遠位端４２、４２ａ、４２ｂ、４２ｃ、４２ｄ、４２ｅ、４２ｆ、４２ｇ、４２ｈ及び４２ｉまで、消化液３１を、それぞれの輸送建造部を通じて連続的に流通させるための導管とすることができる。
【００８３】
本発明はまた、抗肥満ステント（例えば抗肥満ステント１２、１２ａ、１２ｂ、１２ｃ、１２ｄ、１２ｅ、１２ｆ、１２ｇ、１２ｈ及び１２ｉ）を用いた、患者の体重減少方法の提供に関する。当該方法は、抗肥満ステントの管状構造部を、十二指腸（例えば十二指腸２０）に、それと実質的に同軸となる位置関係で挿入することを含んでなる。当該管状構造部は、外側表面及び内側表面、並びに近位端及び遠位端を有する。このような挿入が実施できる管状構造部の実施形態では、管状構造部３２、３２ａ、３２ｂ、３２ｃ、３２ｄ、３２ｅ、３２ｆ、３２ｇ、３２ｈ、３２ｉが用いられる。当該抗肥満ステントは輸送構造部を有し、その少なくとも一部が、当該管状構造部の外側表面と連結している。当該輸送構造部は遠位端まで伸びている。
【００８４】
当該方法は、管状構造部を、十二指腸内部に、またそれに対して軸方向に配置することを更に含んでなり、詳細には、輸送構造部が十二指腸の内側表面上のファーター乳頭（例えばファーター乳頭３０）から消化液を受容できる態様で配置される。この配置が可能となる輸送構造部の実施形態としては、輸送構造部４５、４５ａ、４５ｂ、４５ｃ、４５ｄ、４５ｅ、４５ｆ、４５ｇ、４５ｈ及び４５ｉが挙げられる。更にかかる配置の際には、管状構造部の末端が、ファーター乳頭に対して遠位側に位置するように、抗肥満ステントを配置する。この配置が可能である管状構造部の末端の実施形態としては、遠位端４２、４２ａ、４２ｂ、４２ｃ、４２ｄ、４２ｅ、４２ｆ、４２ｇ、４２ｈ及び４２ｉが挙げられる。
【００８５】
当該方法は更に、抗肥満ステントのリテーナ構造を十二指腸の内側表面に係合させ、その位置に当該輸送構造部を固定し、それによりファーター乳頭からの消化液の受容を可能にするステップを含んでなる。この係合が可能であるリテーナ構造の実施形態としては、リテーナ構造部５０、５０ａ、５０ｂ、５０ｃ、５０ｄ、５０ｅ、５０ｆ、５０ｇ、５０ｈ及び５０ｉが挙げられる。
【００８６】
本発明はまた、輸送構造部の外側表面に溝が形成されている抗肥満ステントを使用した、患者の体重を減少させる方法の提供に関する。かかる抗肥満ステントは、図１から５、及び図８に示され、それぞれ溝４７、５５ａ、４７ｂ、７２を有する。この方法の実施形態では、当該管状構造部を配置する際、溝の切り口が、十二指腸内でファーター乳頭の位置と、円周方向及び軸方向に対して実質的に同じ位置になる態様で、当該溝を配置することを含んでなる。当該リテーナ構造の係合においては、リテーナ構造を十二指腸の内側表面に係合させ、それにより、溝の切り口が、ファーター乳頭の円周方向及び軸方向に対して実質的に同じ位置とするステップを含んでなる。
【００８７】
本発明はまた、輸送構造部の外側表面に円周溝が形成された抗肥満ステントを使用した、患者の体重を減少させる方法の提供に関する。かかる円周溝は連続しており、管状構造部に対して横方向に存在する。かかる抗肥満ステントを図１から３、及び図５に示し、それらは円周溝４７、４７ｂを有する。この方法の実施形態では、管状構造部を配置する際、当該円周溝が、管状構造部をリテーナ構造によって十二指腸内に固定したとき、十二指腸内でファーター乳頭の位置と、軸方向に対して実質的に同じ位置になる態様で配置することを含んでなる。当該リテーナ構造の係合においては、当該リテーナ構造を十二指腸の内側表面に係合させ、当該円周溝をその軸方向に対して固定し、それによりファーター乳頭と軸方向に対して実質的に同じ位置とすることを含んでなる。
【００８８】
米国特許第６７４０１２１号を、本願明細書に援用する。以下の米国特許出願を、本願明細書に援用する：
発明の名称：Ａｎｔｉ−Ｏｂｅｓｉｔｙ  Ｄｕａｌ  Ｓｔｅｎｔ；
発明者：Ｋａｔｉｅ  Ｋｒｕｅｇｅｒ，Ｗｉｌｌｉａｍ  Ｂｅｒｔｏｌｉｎｏ，Ｂａｒｒｙ  Ｗｅｉｔｚｎｅｒ及びＣｌａｕｄｅ  Ｃｌｅｒｃ；
出願日：本願と同日；
代理人整理Ｎｏ．：７９２−４０、
発明の名称：Ａｎｔｉ−Ｏｂｅｓｉｔｙ  Ｄｉｖｅｒｔｅｒ  Ｓｔｒｕｃｔｕｒｅ；
発明者：Ｋａｔｉｅ  Ｋｒｕｅｇｅｒ及びＨａｒｏｌｄ  Ｗ．Ｍａｒｔｉｎｓ；
出願日：本願と同日；
代理人整理Ｎｏ．：７９２−４２、並びに
発明の名称：Ａｎｔｉ−Ｏｂｅｓｉｔｙ  Ｆｌｏｗ  Ｃｏｎｔｒｏｌｌｅｒ；
発明者：Ｂａｒｒｙ  Ｗｅｉｔｚｎｅｒ；
出願日：本願と同日；
代理人整理Ｎｏ．：７９２−４３。
【００８９】
本発明では、具体的な好ましい実施態様を例示として記載したが、記載されている発明の技術思想の範囲内で、多くの変形態様を実施できることを理解すべきである。したがって、本発明は、実際に開示された実施態様に限定されるものではなく、添付の請求項に記載された範囲に含まれる全ての態様を包含するものと理解すべきである。
【図面の簡単な説明】
【００９０】
【図１】胃、十二指腸及び隣接部分を示す、消化管の解剖学的立面図。本発明の抗肥満ステントを示すために、胃の幽門部及び十二指腸の切断面として示す。
【図２】胃の幽門部及び十二指腸の切断面として示した、図１の抗肥満ステントを示す拡大図。抗肥満ステント及び周囲及び軸性の溝を含む輸送構造部を、実質的に直線的な管状構造部を有する態様で示す。
【図３】図２の抗肥満ステントの斜視図。
【図４】別の実施形態に係る、図１の抗肥満ステントの斜視図。抗肥満ステントを、実質的に直線的な管状構造部及び代替的な輸送構造部を有する態様で示す。
【図５】更に別の実施形態に係る、図１の抗肥満ステントの斜視図。抗肥満ステントを、実質的に直線的な管状構造部、及び更に代替的な輸送構造部を有する態様で示す。
【図６】更に別の実施形態に係る、図１の抗肥満ステントの長手方向横断面図である。抗肥満ステントを、近位端及び遠位部分を含む実質的に直線的な管状構造部を有する態様で示す。更に、抗肥満ステントを、代替的な輸送構造部を有する態様で更に示す。
【図７】更に別の実施形態に係る、図１の抗肥満ステントの斜視図。抗肥満ステントを、実質的に直線的な管状構造部、及び更に代替的な輸送構造部を有する態様で示す。
【図８】更に別の実施形態に係る、図１の抗肥満ステントの斜視図。抗肥満ステントを、実質的に直線的な管状構造部、及び更に代替的な輸送構造部を有する態様で示す。
【図９】更に別の実施形態に係る、図１の抗肥満ステントの斜視図。抗肥満ステントを、ファーター乳頭の遠位側に位置する、実質的に直線的な管状構造部を有する態様で示す。
【図１０】更に別の実施形態に係る、図１の抗肥満ステントの長手方向横断面図。抗肥満ステントを、実質的に直線的な管状構造部、及び外方に拡張している近位部分を有する態様で示す。
【図１１】更に別の実施形態に係る、図１の抗肥満ステントの長手方向横断面図。抗肥満ステントを、実質的に直線的な管状構造部、及び近位端及び遠位のアンカーを有する態様で示す。
【図１２】更に別の実施形態に係る、図１の抗肥満ステントの斜視図。抗肥満ステントを、実質的に直線的な管状構造部、及び更に代替的な輸送構造部を有する態様で示す。
【図１】
2009538690.tif 000003
【図２】
2009538690.tif 000004
【図３】
2009538690.tif 000005
【図４】
2009538690.tif 000006
【図５】
2009538690.tif 000007
【図６】
2009538690.tif 000008
【図７】
2009538690.tif 000009
【図８】
2009538690.tif 000010
【図９】
2009538690.tif 000011
【図１０】
2009538690.tif 000012
【図１１】
2009538690.tif 000013
【図１２】
2009538690.tif 000014
【国際調査報告】
2009538690.tif 000015
2009538690.tif 000016
2009538690.tif 000017
2009538690.tif 000018